(57)【特許請求の範囲】
【請求項１】
物品を収納できる収納ユニットと、平面視で細長いスライド式の仕切り体とが備えられており、平面視で前記仕切り体が収納ユニットから張り出した状態に配置されている収納・仕切り兼備式家具装置であって、
前記収納ユニットに、前記仕切り体の少なくとも一部が入り込む戸袋状部を平面視で収納ユニットから張り出すように設けており、前記仕切り体を、前記戸袋状部に、当該戸袋状部から突出した状態に引き出し得るように収納している、
収納・仕切り兼備式家具装置。
【請求項２】
前記収納ユニットは、戸袋状部を挟んだ左右両側に一対配置されていると共に仕切り体の引き出し方向に開口した本体を有している一方、前記戸袋状部は平面視で平行に延びる一対のパネルを主要部材として構成されており、前記戸袋状部の奥部が左右の収納ユニットで挟まれた状態になっており、更に、戸袋状部のうち収納ユニットから張り出した部分は、側面視でＬ字状又は前向き開口コ字状となるように部分的に切欠かれている、
請求項１に記載した収納・仕切り兼備式家具装置。
【請求項３】
前記戸袋状部の上端部には、仕切り体の上端に設けたランナーを案内するガイドレールが固着されている、
請求項１又は２に記載した収納・仕切り兼備式家具装置。
【請求項４】
一つの室に、一つのベッドが配置される単位エリアが並んだ状態で複数形成されており、隣り合った単位エリアが収納・仕切り兼備式家具装置によって仕切られている医療・介護施設であって、
前記収納・仕切り兼備式家具装置は、物品を収納できる収納ユニットと、平面視で両単位エリアを仕切る方向に長く延びるスライド式の仕切り体とを備えており、
前記収納ユニットに、前記仕切り体の少なくとも一部が入り込む戸袋状部を平面視で収納ユニットから張り出すように設けており、前記仕切り体を、前記戸袋状部に、当該戸袋状部から突出した状態に引き出し得るように収納している、
医療・介護施設。
【発明の詳細な説明】
【技術分野】
【０００１】
本願発明は、大部屋方式の病室を複数の準個室化することに好適な収納・仕切り兼備式家具装置、及び、この収納・仕切り兼備式家具装置を備えた医療・介護施設に関するものである。
【背景技術】
【０００２】
病院や介護施設では大部屋が主流であり、従来は、隣り合ったベッドをカーテンや移動式衝立で仕切る程度のことしか行われてなかったが、近年、看者のプライバシーの尊重や生活環境改善のため、個室化するか又は個室に近い状態に仕切る（準個室化する）ことが推奨されている。
【０００３】
大部屋を準個室化する遮蔽機能の高い仕切り手段の例として、本願出願人は、特許文献１、２においてスライド式の仕切り体を有する装置を開示した。このうち特許文献１のものは、壁際に設置した左右の収納家具の間に間仕切パネルの格納部を設け、格納部の箇所に、間仕切パネルの下端をガイドする下部ガイドレールと上端をガイドする上部ガイドレールとを収納家具の前方に張り出すように設けることにより、間仕切パネルを格納部に格納された後退状態と格納部から突出した仕切り状態とに切り換えできるようにしたものである。
【０００４】
他方、特許文献２に開示したものは、物品が収納される収納ユニットを仕切られる２つの単位エリアの間に背中合わせ状に配置することにより、収納ユニット自体を仕切り手段の一部に兼用し、更に、背中合わせに配置された収納ユニットの間に仕切り体の格納部を設け、仕切り体を収納ユニットの手前に大きく引き出せるようにしたものであった。
【特許文献１】特開平１１−２１６０３２号公報
【特許文献２】特願２００５−１５１７１３号
【発明の開示】
【発明が解決しようとする課題】
【０００５】
特許文献１では、収納家具は仕切られた単位エリアの奥の壁に沿わせて配置しており、従って、収納家具（正確には家具本体）は、単位エリアへの出入り口から見て前向きに開口している。他方、特許文献２では、収納ユニットは背中合わせに配置されているため、収納ユニットは、単位エリアへの出入り口から見て横向きに開口している。
【０００６】
特許文献１，２で単位エリアの間口寸法を同じと仮定すると、特許文献１では収納家具は壁面に沿って長く延びるように配置されているため、ベッドと間仕切パネルとの間に大きな間隔を空けることができる。他方、特許文献２では収納ユニットが単位エリアの奥行き方向に延びているため、仕切り体の位置を特許文献１よりも手前に位置させることができ、このため仕切り機能（遮蔽機能）が高いと言える。
【０００７】
本願発明は、物品の収納と室（スペース）の仕切りとを兼備した家具装置において、収納ユニットが単位エリアの間口方向に長く延びている状態であっても高い仕切り機能を確保することを主たる課題とするものである。
【課題を解決するための手段】
【０００８】
前記課題を解決するため本願発明者は各請求項の発明を成した。このうち請求項１の発明は、物品を収納できる収納ユニットと、平面視で細長いスライド式の仕切り体とが備えられており、平面視で前記仕切り体が収納ユニットから張り出した状態に配置されている収納・仕切り兼備式家具装置において、前記収納ユニットに、前記仕切り体の少なくとも一部が入り込む戸袋状部を平面視で収納ユニットから張り出すように設けており、前記仕切り体を、前記戸袋状部に、当該戸袋状部から突出した状態に引き出し得るように収納している。なお、戸袋状部は「戸袋状ガイド体」又は「仕切り体収納部」と言い換えることも可能である。
【０００９】
請求項２の発明は、請求項１において、前記収納ユニットは、戸袋状部を挟んだ左右両側に一対配置されていると共に仕切り体の引き出し方向に開口した本体を有している一方、前記戸袋状部は平面視で平行に延びる一対のパネルを主要部材として構成されており、前記戸袋状部の奥部が左右の収納ユニットで挟まれた状態になっており、更に、戸袋状部のうち収納ユニットから張り出した部分は、側面視でＬ字状又は前向き開口コ字状となるように部分的に切欠かれている。
【００１０】
請求項３の発明は、請求項１又は２において、前記戸袋状部の上端部には、仕切り体の上端に設けたランナーを案内するガイドレールが固着されている。
【００１１】
請求項４の発明は、一つの室に、一つのベッドが配置される単位エリアが並んだ状態で複数形成されており、隣り合った単位エリアが収納・仕切り兼備式家具装置によって仕切られている医療・介護施設に係るものであり、前記収納・仕切り兼備式家具装置は、物品を収納できる収納ユニットと、平面視で両単位エリアを仕切る方向に長く延びるスライド式の仕切り体とを備えている。そして、前記収納ユニットに、前記仕切り体の少なくとも一部が入り込む戸袋状部を平面視で収納ユニットから張り出すように設けており、前記仕切り体を、前記戸袋状部に、当該戸袋状部から突出した状態に引き出し得るように収納している。
【発明の効果】
【００１２】
本願発明で、戸袋状部は収納ユニットから張り出しているため戸袋状部も仕切り機能を有しており、しかも、戸袋状部の手前に仕切り体を引き出しできるため、収納ユニットを単位エリアの奥側の壁に沿って配置した場合のように収納ユニットの奥行き寸法が小さい場合であっても、仕切り体はその安定性を損なうことなく収納ユニットの手前側に大きく引き出すことができ、このため仕切り機能を向上させることができる。
【００１３】
また、戸袋状部は固定式であるため、その側面に例えばポスター類を貼ったり掛けたりすることも可能であり、これによって収納・仕切り兼備式家具装置の使い勝手をより向上させることが可能になる。
【００１４】
戸袋状部は収納ユニットの手前側のみに張り出す構成とすることも可能であるが、請求項２のように戸袋状部の奥部が左右の収納ユニットで挟まれた配置態様を採用すると、戸袋状部の取り付け強度に優れる利点と、仕切り体を左右収納ユニットの間まで押し込みできてスッキリさせ得る利点とがある。
【００１５】
また、戸袋状部を木製板のような非透明部材によって構成した場合、戸袋状部が収納ユニットの前方に大きく張り出していると人に圧迫感や威圧感を与えることがあるが、請求項２のように戸袋状部の前部を切欠いて前向き張り出し部を側面視Ｌ字状又はコ字状に形成すると、切欠きの存在によって戸袋状部の面積が小さくなることにより、人が圧迫感・威圧感を受けることを防止することができ、しかも、戸袋状部の少なくとも下部は収納ユニットの前方に大きく張り出させることができるため、仕切り体は安定性を確保しつつ大きく引き出すことができる。すなわち、請求項２の構成によると、仕切り体を安定良く大きく引出しできるという効果を損なうことなく、使用者が圧迫感・威圧感を受けることを防止できるのである。
【００１６】
請求項３のように構成すると、仕切り体の安定性を向上できると共に、前後動をスムースに行える利点がある。
【発明を実施するための最良の形態】
【００１７】
次に、本願発明の実施形態を図面に基づいて説明する。
【００１８】
(1).第１実施形態の概略
図１〜図４では第１実施形態を示している。図１は収納・仕切り兼備式家具装置（以下の説明では単に「家具装置」）という）の斜視図、図２は家具装置を設置した室の部分的な平面図であり、まず、両図に基づいて概略を説明する。
【００１９】
家具装置は、一対の収納ユニット１と、一対の収納ユニット１の間に配置された戸袋状部２と、戸袋状部２の内部に嵌め入れた仕切り体３とからなっている。収納ユニット１及び戸袋状部２並びに仕切り体３は、一般成人の身長よりもやや高い程度の高さ（例えば１８０ｃｍ程度）に設定されている。これは隣の単位エリア４を上方から覗き見られないようにするためである。
【００２０】
また、家具装置と天井との間にはある程度の空間が空いている。これは、天井に設けた灯具の光が届くようにするため、及び、閉所状態になることによって使用者が圧迫感を受けることを防止するためである。
【００２１】
図２に示すように、左右の収納ユニット１の背面を建物の壁に重ねた状態で設置しており、家具装置によって空間が２つの単位エリア４に仕切られている。単位エリア４には１つのベッド５が奥行き方向に延びるように配置されている。単位エリア４の出入り口はカーテン６によって仕切られている。以下の説明では前後左右の文言を使用するが、出入り口から単位エリア４の奥を向いた状態で手前側を前、奥側を後と称し、また、左右は、出入り口から単位エリア４の奥を向いた状態を基準にしている。
【００２２】
収納ユニット１は前向きに開口した本体を備えており、下部には引き出し７が多段に配置されており、上部のうち戸袋状部２の側の部分は、引き出し７の前面と略同一の面を有する第１水平回動式扉８で塞がれた棚部となっており、上部のうち戸袋状部２から離れた部分は、第２水平回動式扉９で塞がれる棚部と、その下方に配置された開放部１０とになっている。
【００２３】
収納ユニット１のうち開放部１０の上方の棚部は奥側に入り込んでおり、このため外側板１１は前後幅寸法が収納ユニット１の奥行き寸法よりも小さくなっている。そして、開放部１０が左右外側にも開口しているため、当該開放部１０をテーブルとして使用することができ、例えばパソコンを操作したり、テレビを置いてベッドから見たりすることができる。
【００２４】
敢えて述べるまでもないが、収納ユニット１の形態は任意に設定できる。例えば閉鎖手段としては回動式扉に変えて引き戸方式にすることも可能であり、また、全体をオープン棚方式にしたりすることも可能である。更にテーブルとして使用できる開放部１０を設ける場合、収納ユニット１の左右全幅にわたって広がる寸法とすることも可能である。
【００２５】
戸袋状部２は主要部材として左右一対のパネル（側板）１２を備えており、収納ユニット１の奥行き寸法の２倍以上の最大前後幅を有している。そして、戸袋状部２はその奥部が左右の収納ユニット１で挟まれた状態になっており、前後幅の半分以上の部分が収納ユニット１の前方に大きく張り出している。仕切り体３の下面には前後一対の車輪（コロ）１３が取り付けられている。本実施形態では、戸袋状部２を構成するパネル１２は収納ユニット１の側板を兼用している。
【００２６】
戸袋状部２は、下部が収納ユニット１の奥行き寸法よりも大きい寸法で大きく突出して、それより上方の部分は収納ユニット１の奥行き寸法よりも小さい寸法（半分程度の寸法）で突出するように切欠かれている（切欠きを符号１４で示す）。従って、戸袋状部２の前向き張り出し部は側面視でＬ字状の形態を成している。また、戸袋状部２の上部には、補強部材１５を介してガイドレール１６が前向きに張り出す状態に取り付けられている。
【００２７】
仕切り体３は前後縦枠１８と上水平枠１９と下水平枠２０と中間水平枠２１とを有して障子戸状（或いは引き戸状）に構成されており、中間水平枠２１と下水平枠２０との間には木製板２２が張られ、上水平枠１９と中間水平枠２１との間の部分は補助枠２３によって格子状になっており、各格子部に薄板２４を嵌め込んでいる。薄板２４は、若干の透光性を持った不透明であるのが好ましい。薄板２４として紙や樹脂板、ガラス、スクリーン類を使用することも可能である。戸袋状部２に切欠き１４が存在することと、仕切り体３が若干の障子戸状であることにより、使用者が圧迫感を受けることを防止できる。
【００２８】
仕切り体３は、後退させ切った状態で戸袋状部２の下部からやや前方に突出しているが、後退させ切った状態で、戸袋状部２の前端面と戸袋状部２の下部の前面とを揃えることも可能である。仕切り体３の前端面には押し操作用の把手２５を設けている。
【００２９】
図２に示すように、本実施形態では、仕切り体３を一杯に引き出した状態でも左右の単位エリア４を完全に仕切るようには設定していない。これは、ある程度の開放性を保持せしめるためであるが、高い仕切り機能が必要な場合は、戸袋状部２の張り出し長さを長くして仕切り体３を出入り口の近傍まで引き出しできるようにしたらよい。いずれにしても、仕切り体３を押し込むことにより、ベッド５を単位エリア４と廊下２６とに容易に移動させるための大きなスペースを確保することができる。
【００３０】
(2).戸袋状部と仕切り体との詳細
次に、戸袋状部２及び仕切り体３の詳細を図３，４に基づいて説明する。図３は仕切り体３を後退させた状態での一部破断側面図、図４のうち（Ａ）は仕切り体３の上部の部分的な側面図、（Ｂ）は戸袋状部２の一部破断平面図、（Ｃ）は図４の IVC-IVC視断面図、（Ｄ）は図４の IVD-IVD視断面図である。
【００３１】
戸袋状部２を構成する左右のパネル１２は、その後端寄りに位置した上下長手の第１スペーサ２８と、第１スペーサ２８の後方の部位でかつ下端に位置した前後長手の第２スペーサ２９と、下端部でかつ手前より部位に位置した第３スペーサ３０と、上端に重ねられた天板３１との４つの部材を介して一体に連結されている。これによって袋状の形態が保持されている。なお、これらの部材とパネル１２との連結はビスやダボによって行われている。
【００３２】
仕切り体３の下面の前端と後端とには車輪１３が取り付けれており、前後の車輪１３が床を転動することで仕切り体３をスムースに前後動させ得る。そして、図３に示すように、後部の車輪１３は第１スペーサ２８と第３スペーサ３０との間に位置しており、後部の車輪１３が第３スペーサ３０に当たることで仕切り体３の前進位置が規制されている。従って、誤って仕切り体３を強く引き過ぎても仕切り体３が戸袋状部２からはずれ出る不都合はない。仕切り体３の後端面には、第１スペーサ２８に当たるゴム等の緩衝材３２を設けている。
【００３３】
戸袋状部２を構成する天板３１の下面には、鋼管又はアルミ管からなる角形の補強部材１５がビスで固着されており、この補強部材１５の下面に、断面下向き開口Ｃ字状のガイドレール１６をビスで固着している。他方、仕切り体３を構成する上水平枠１９に、ローラ３３を有するランナー３４を突設し、ランナー３４をガイドレール１６に嵌め入れている。このため、床に凹凸があって車輪１３が接地しない場合であっても、仕切り体３を軽い力で軽快に前後動させることができる。なお、ランナー３４は必ずしもローラ方式である必要はなく、樹脂製のスライダー方式とすることも可能である。
【００３４】
左右パネル１２の間隔寸法は仕切り体３の左右厚さ寸法よりもかなり大きい寸法に設定している。そこで、左右パネル１２の上部内側面と下部内側面とに、仕切り体３のぶれを防止するための前後長手の補助ガイド体３５を設けている。補助ガイド体３５は上水平枠１９及び下水平枠２０に当たるように設定している（中間水平枠２１に当たる補助ガイド体を設けることも可能である）。補助ガイド体３５は木製でも良いし、摩擦係数の小さい樹脂部材としてもよい。
【００３５】
補助ガイド体３５はパネル１２の前面寄りに配置している。これは、仕切り体３が左右にぶれることは手前に引出したときに特に顕著に現われるからである。勿論、第１スペーサ２８の近くまで長く延ばすことも可能である。また、ぶれ止め手段としては、補助ガイド体に代えて水平回転式のローラを設けるといったことも可能であり、また、ぶれ止め手段を仕切り体３に設けることも可能である（勿論、仕切り体３と戸袋状部２との両方に設けることも可能である。また、左右パネル１２の下端に、前端から第１スペーサ２８まで延びる底板を固着して、後部の車輪１３が底板の上面を転動する構成とすることも可能である。
【００３６】
本実施形態では、戸袋状部２の第１スペーサ２８の後方に空間が空いているが、第１スペーサ２８をパネル１２の後端に配置することも可能である。この場合は、仕切り体３の前後長さを長くしてより大きく引き出すことができ、また、後退させた状態で仕切り体３を戸袋状部２の下部にすっぽり入り込ませることも可能である。また、戸袋状部２に天板３１を設けずに、補強部材１５の側面に左右パネル１２を固着すること（すなわち補強部材１５をスペーサに兼用すること）も可能である（この場合は、補強部材１５の左右横幅が仕切り体３の厚さより大きい必要がある。）。
【００３７】
(3).他の実施形態
図５及び図６では他の実施形態を示している。このうち図５は第２実施形態の側面図であり、この実施形態では、戸袋状部２の切欠き１４を前方のみに開口するように形成することにより、戸袋状部２の前向き張り出し部を側面視で前向き開口コ字状に形成している。この実施形態では、戸袋状部２の上部も前方に長く延びるため、第１実施形態の補強部材は必要ないと言える。切欠き１４の上下両側に位置する部分の上下幅寸法は任意に設定できるのであり、同じ上下幅寸法とすることも可能である。
【００３８】
この第２実施形態において、左右両パネル１２の内側面箇所に、切欠き１４を開閉する薄いシャッター３６を配置することも可能である。このシャッター３６は、パネル１２の内側面に設けた上下一対のレール３７によって前後動自在に支持したら良い。
【００３９】
図６（Ａ）は第３実施形態の概略略平面図であり、この実施形態では、戸袋状部２の全体を収納ユニット１の前面から突出させている。また、図６（Ｂ）は第４実施形態の概略平面図であり、この実施形態では、収納ユニット１は１つしか備えておらず、その片面に戸袋状部２を設けている。図６の（Ａ）（Ｂ）では収納ユニット１は前向きに開口している。
【００４０】
図６（Ｃ）は第５実施形態の概略平面図であり、この実施形態では収納ユニット１は横向きに開口するようになっている。本願発明はこのタイプにも適用できるのである。
【００４１】
図６（Ｄ）は第６実施形態の側面図である。この実施形態では、戸袋状部２は側面視で四角形に形成されており、前部に、半透明板や障子紙等が張られた開口部３８を形成することにより、使用者が圧迫感を受けることを防止している。圧迫感防止対策としては、戸袋状部２の前向き張り出し部に窓穴を空けるといったことも可能である。
【００４２】
(4).その他
本願発明は上記の実施形態の他にも様々に具体化できる。例えば戸袋状部は主要部材としてパネルを使用する必要はなく、例えばフレーム材で骨組みを構成してこれに薄板を張るといったことも可能である。また、仕切り体は単なる板状と成すこと可能である。更に、戸袋状部をユニット方式として、既存の収納ユニット（キャビネット）に固定できるようにすることも可能である。
【００４３】
戸袋状部は、上部が大きく前向き突出した逆Ｌ字状に形成したり（この場合は下端にガイドレールを設けるのが好ましい。）、上部と下部とを切欠いて上下中途部が前方に突出する側面視横向きＴ字状となすといったことも可能である。また、戸袋状部は仕切り体を安定した状態で移動させ得る機能があれば良いのであり、従って、例えば、仕切り体のガイド手段を有する骨組みを鋼材等のフレーム材で構成して、この骨組みに目隠し用の薄板やシート類を張るといったことも可能である。
【図面の簡単な説明】
【００４４】
【図１】第１実施形態の斜視図である。
【図２】第１実施形態の設置態様を示す平面図である。
【図３】第１実施形態の側面図である。
【図４】戸袋状部と仕切り体の詳細を示す図である。
【図５】第２実施形態を示す図である。
【図６】第３〜第６実施形態を示す図である。
【符号の説明】
【００４５】
１  収納ユニット
２  戸袋状部
３  仕切り体
４  単位エリア
５  ベッド
１２  パネル
１４  切欠き
１６  ガイドレール
３３  ランナー
【図１】
0004695546.tif 000002
【図２】
0004695546.tif 000003
【図３】
0004695546.tif 000004
【図４】
0004695546.tif 000005
【図５】
0004695546.tif 000006
【図６】
0004695546.tif 000007